(57)【特許請求の範囲】
【請求項１】
電池と、電池の表面に設置される少なくとも一つの圧力センサーと、該圧力センサーと電気的に接続されているコントローラーとを含む電子装置であって、
前記圧力センサーは、前記電池の表面の圧力パラメータを採集し、
前記コントローラーは、前記電池の表面の圧力パラメータを獲得し、前記圧力パラメータと所定の閾値との大小関係を検出し、検出結果に基づいて電池を保護するためのコントロール指令を発し、
前記コントローラーは、所定時間おきに前記圧力パラメータと、順に増大の第一の閾値、第二の閾値、及び第三の閾値との大小関係を検出し、
前記コントローラーは、
検出結果が前記第一の閾値より大きく且つ前記第二の閾値より小さい場合に、前記電子装置がディスプレイ、スピーカー及び/または信号ライトを通して警報をすることを触発するための警報表示指令を発し、
検出結果が前記第二の閾値より大きく且つ前記第三の閾値より小さい場合に、前記電池の休眠状態を触発するための休眠指令を発し、
検出結果が前記第三の閾値より大きい場合に、前記電池の永久失効状態を触発するための永久失効指令を発することを特徴とする電子装置。
【請求項２】
前記コントローラーは、前記電池が休眠状態に入った後に、前記圧力パラメータが前記第二の閾値より小さい値に復帰したかを検出し、検出結果が前記第二の閾値より小さい場合に、前記電池が前記休眠状態から正常稼動状態に戻ることを触発するための休眠復帰指令を発することを特徴とする、請求項１に記載の電子装置。
【請求項３】
コントローラーに用いられる電池保護方法であって、
電池の表面の圧力パラメータを得るステップと、
前記圧力パラメータと所定の閾値との大小関係を検出するステップと、
検出結果に基づいて前記電池を保護するためのコントロール指令を発するステップとを含み、
前記圧力パラメータと所定の閾値との大小関係を検出するステップと、検出結果に基づいて前記電池を保護するためのコントロール指令を発するステップは、
所定時間おきに前記圧力パラメータと、順に増大の第一の閾値、第二の閾値、及び第三の閾値との大小関係を検出し、
検出結果が前記第一の閾値より大きく且つ前記第二の閾値より小さい場合に、電子装置がディスプレイ、スピーカー及び/または信号ライトを通して警報をすることを触発するための警報表示指令を発し、
検出結果が前記第二の閾値より大きく且つ前記第三の閾値より小さい場合に、前記電池の休眠状態を触発するための休眠指令を発し、
検出結果が前記第三の閾値より大きい場合に、前記電池の永久失効状態を触発するための永久失効指令を発することを含むことを特徴とする電池保護方法。
【請求項４】
前記電池が休眠状態に入った後、前記圧力パラメータが前記第二の閾値より小さい値に復帰したかを検出し、
検出結果が前記第二の閾値より小さい場合に、前記電池が前記休眠状態から正常稼動状態に戻ることを触発するための休眠復帰指令を発することをさらに含むことを特徴とする請求項３に記載の電池保護方法。
【請求項５】
コントローラーに用いられる電池保護設備であって、
電池の表面の圧力パラメータを獲得するための圧力獲得モジュールと、
前記圧力パラメータと所定の閾値との大小関係を検出するための圧力検出モジュールと、
検出結果に基づいて前記電池を保護するコントロール指令を発するための指令生成モジュールとを含み、
前記圧力検出モジュールは、所定時間おきに前記圧力パラメータと、順に増大の第一の閾値、第二の閾値、及び第三の閾値との大小関係をさらに検出し、
前記指令生成モジュールは、
検出結果が前記第一の閾値より大きく且つ前記第二の閾値より小さい場合に、電子装置がディスプレイ、スピーカー及び/または信号ライトを通して警報をすることを触発するための警報表示指令を発する警報生成ユニットと、
検出結果が前記第二の閾値より大きく且つ前記第三の閾値より小さい場合に、前記電池の休眠状態を触発するための休眠指令を発する休眠生成ユニットと、
検出結果が前記第三の閾値より大きい場合に、前記電池の永久失効状態を触発するための永久失効指令を発する失効生成ユニットとを含むことを特徴とする電池保護設備。
【請求項６】
前記指令生成モジュールは、
前記電池が休眠状態に入った後、前記圧力パラメータが前記第二の閾値より小さい値に復帰したかを検出するための圧力検出ユニットと、
検出結果が前記第二の閾値より小さい場合に、前記電池が前記休眠状態から正常稼動状態に戻ることを触発するための休眠復帰指令を発する復帰生成ユニットとをさらに含むことを特徴とする請求項５に記載の電池保護設備。
【請求項７】
一つまたは一つ以上のプロセッサと、
メモリと、
前記メモリに記憶され、且つ前記一つまたは一つ以上のプロセッサにより実行されるように配置される一つまたは一つ以上のモジュールとを含む電子装置であって、
前記一つまたは一つ以上のモジュールは、
電池の表面の圧力パラメータを獲得し、
前記圧力パラメータと所定の閾値との大小関係を検出し、
検出結果に基づいて前記電池を保護するコントロール指令を発する機能を有し、
前記モジュールは、所定時間おきに前記圧力パラメータと、順に増大の第一の閾値、第二の閾値、及び第三の閾値との大小関係を検出し、
前記モジュールは、
検出結果が前記第一の閾値より大きく且つ前記第二の閾値より小さい場合に、前記電子装置がディスプレイ、スピーカー及び/または信号ライトを通して警報をすることを触発するための警報表示指令を発し、
検出結果が前記第二の閾値より大きく且つ前記第三の閾値より小さい場合に、前記電池の休眠状態を触発するための休眠指令を発し、
検出結果が前記第三の閾値より大きい場合に、前記電池の永久失効状態を触発するための永久失効指令を発する
ことを特徴とする電子装置。
【請求項８】
プロセッサに実行されることにより、請求項３又は４に記載の電池保護方法を実現することを特徴とするプログラム。
【請求項９】
請求項８に記載のプログラムが記録された記録媒体。
【発明の詳細な説明】
【技術分野】
【０００１】
本発明は、電子装置分野に関し、特に電子装置、電池保護方法及び設備に関するものである。
【背景技術】
【０００２】
モバイルターミナルの飛躍的な発展につれ、特に携帯電話やタブレットパソコンなどの電子装置の爆発的な増長につれ、これらの電子装置が機能上でユーザーの需要を十分に満足している状況下で、電子装置のセキュリティ問題もだんだん議題となってくる。例えば、電池の保護問題はますます重要となっている。
【発明の概要】
【発明が解決しようとする課題】
【０００３】
従来は、電池保護につき、主に電池の内部に設置された検出回路により電池の入力または出力の電流が一定の限度を超えたかを検出し、電池の入力または出力電流が一定の限度を超えると、電池内部に設置された保護回路を触発する。保護回路は、電池内部の充電回路或いは放電回路を切断することにより電池の保護を実現する。また、電池の入力または出力の電圧を検出することで電池を保護することも可能である。
発明者は本発明を実現することに至って、関連技術には少なくとも下記のような欠点があると発見した。すなわち、電流や電圧の入力または出力がない場合にも、電池を保護する必要がある。例えば、電池は外力の作用を受ける場合、あるいは電池内部の化学反応による大量の熱量で電池内部が膨張する場合には、電池は損傷しやすく、ひいては電池が爆発してしまうなどの危険もある。
【課題を解決するための手段】
【０００４】
本発明の実施例は、電池が衝撃を受ける時、或いは押される時のセキュリティリスクという、関連技術で未解決の上記問題を解決するために、電子装置、電池保護の方法、設備、プログラム及び記録媒体を提供し、下記の構成を有する。
本発明の実施例の第１の局面によれば、電池と、電池の表面に設置される少なくとも一つの圧力センサーと、該圧力センサーと電気的に接続されているコントローラーとを含む電子装置であって、
前記圧力センサーは、前記電池の表面の圧力パラメータを採集し、
前記コントローラーは、前記電池の表面の圧力パラメータを獲得し、前記圧力パラメータと所定の閾値との大小関係を検出し、検出結果に基づいて電池を保護するためのコントロール指令を発する、電子装置を提供する。
第１の可能な実施形態では、
前記コントローラーは、所定時間おきに前記圧力パラメータと、順に増大の第一の閾値、第二の閾値及び第三の閾値との大小関係を検出し、
前記コントローラーは、検出結果が前記第一の閾値より大きく且つ前記第二の閾値より小さい場合に、前記電子装置がディスプレイ、スピーカー及び/または信号ライトを通して警報を発することを触発するための警報表示指令を発し、検出結果が前記第二の閾値より大きく且つ前記第三の閾値より小さい場合に、前記電池の休眠状態を触発するための休眠指令を発し、検出結果が前記第三の閾値より大きい場合に、前記電池の永久失効状態を触発するための永久失効指令を発する。
第１の局面の第１の可能な実施形態を組み合わせ、第２の可能な実施形態では、
前記コントローラーは、前記電池が休眠状態に入った後、前記圧力パラメータが前記第二の閾値より小さい値に復帰したかを検出し、検出結果が前記第二の閾値より小さい場合に、前記電池が前記休眠状態から正常稼動状態に戻ることを触発するための休眠復帰指令を発する。
第１の局面、第１の局面の第１の可能な実施形態、または第１の局面の第２の可能な実施形態を組み合わせ、第３の可能な実施形態では、
前記少なくとも一つの圧力センサーは、前記電池の表面の異なる位置に均一に設置され、異なる位置に設置される前記圧力センサーの各圧力センサーに対応の所定の閾値は同じまたは異なる。
本発明の実施例の第２の局面によれば、コントローラーに用いられる電池の保護方法であって、
前記電池の表面の圧力パラメータを得るステップと、
前記圧力パラメータと所定の閾値との大小関係を検出するステップと、
検出結果に基づいて、前記電池を保護するためのコントロール指令を発するステップとを含む、電池の保護方法を提供する。
第１の可能な実施形態では、前記圧力パラメータと所定の閾値との大小関係を検出するステップと、検出結果に基づいて前記電池を保護するためのコントロール指令を発するステップは、
所定時間おきに前記圧力パラメータと、順に増大の第一の閾値、第二の閾値、及び第三の閾値との大小関係を検出し、
検出結果が前記第一の閾値より大きく且つ前記第二の閾値より小さい場合に、前記電子装置がディスプレイ、スピーカー及び/または信号ライトを通して警報をすることを触発するための警報表示指令を発し、
検出結果が前記第二の閾値より大きく且つ前記第三の閾値より小さい場合に、前記電池の休眠状態を触発するための休眠指令を発し、
検出結果が前記第三の閾値より大きい場合に、前記電池の永久失効状態を触発するための永久失効指令を発することを含む。
第２の局面の第１の可能な実施形態を組み合わせ、第２の可能な実施形態では、前記方法は、
前記電池が休眠状態に入った後、前記圧力パラメータが前記第二の閾値より小さい値に復帰したかを検出し、
検出結果が前記第二の閾値より小さい場合に、前記電池が前記休眠状態から正常稼動状態に戻ることを触発するための休眠復帰指令を発することをさらに含む。
本発明の実施態様の第３の局面によれば、コントローラーに用いられる電池保護設備であって、
前記電池の表面の圧力パラメータを獲得するための圧力獲得モジュールと、
前記圧力パラメータと所定の閾値との大小関係を検出するための圧力検出モジュールと、
検出結果に基づいて前記電池を保護するコントロール指令を発するための指令生成モジュールとを含む、電池保護設備を提供する。
第１の可能な実施形態では、
前記圧力検出モジュールは、所定時間おきに前記圧力パラメータと、順に増大の第一の閾値、第二の閾値、及び第三の閾値との大小関係をさらに検出し、
前記指令生成モジュールは、
検出結果が前記第一の閾値より大きく且つ前記第二の閾値より小さい場合に、前記電子装置がディスプレイ、スピーカー及び/または信号ライトを通して警報をすることを触発するための警報表示指令を発する警報生成ユニットと、
検出結果が前記第二の閾値より大きく且つ前記第三の閾値より小さい場合に、前記電池の休眠状態を触発するための休眠指令を発する休眠生成ユニットと、
検出結果が前記第三の閾値より大きい場合に、前記電池の永久失効状態を触発するための永久失効指令を発する失効生成ユニットとを含む。
第３の局面の第１の可能な実施形態を組み合わせ、第２の可能な実施形態では、前記指令生成モジュールは、
前記電池が休眠状態に入った後、前記圧力パラメータが前記第二の閾値より小さい値に復帰したかを検出するための圧力検出ユニットと、
検出結果が前記第二の閾値より小さい場合に、前記電池が前記休眠状態から正常稼動状態に戻ることを触発するための休眠復帰指令を発する復帰生成ユニットとをさらに含む。
本発明の実施態様の第４の局面によれば、
一つまたは一つ以上のプロセッサと、
メモリと、
前記メモリに記憶され、且つ前記一つまたは一つ以上のプロセッサにより実行されるように配置される一つまたは一つ以上のモジュールとを含む電子装置であって、
前記一つまたは一つ以上のモジュールは、
前記電池の表面の圧力パラメータを獲得し、
前記圧力パラメータと所定の閾値との大小関係を検出し、
検出結果に基づいて前記電池を保護するためのコントロール指令を発する機能を有する、電子装置を提供する。
本発明の実施態様の第５の局面によれば、プロセッサに実行されることにより、請求項５乃至７のいずれかに記載の電池保護方法を実現することを特徴とするプログラムを提供する。
本発明の実施態様の第６の局面によれば、前記のプログラムが記録された記録媒体を提供する。
本発明の実施例で提供された技術構成は、圧力センサーによって電池の表面の圧力パラメータを採集し、コントローラーによって圧力パラメータと所定の閾値との大小関係を検出し、検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護できる、という有益な効果を含む。
以上の一般的な記述及び後での詳しい記述は、例示的と説明的なものに過ぎず、本発明はそれらに限られていない。
【図面の簡単な説明】
【０００５】
本発明の実施例をより明瞭に説明するために、次に実施例の記述において必要な図面について簡単に説明する。明らかに、次の図面はただ本発明の一部の実施例に過ぎず、当業者にとって、創造的な工夫をしない前提下で、これらの図面からその他の図面を得ることができる。
【図１】例示的な実施例に示される電子装置の例示的な構造を示す模式図である。
【図２Ａ】例示的な実施例に示されるもう一つの電子装置の例示的な構造を示す模式図である。
【図２Ｂ】例示的な実施例に示される一実施例の警報に係る例示的な模式図である。
【図３】例示的な実施例に示される一実施例により提供される電池の保護方法の例示的な方法フローチャート図である。
【図４】例示的な実施例に示される一実施例により提供される電池の保護方法の例示的な方法フローチャート図である。
【図５】例示的な実施例に示される一実施例により提供される電池の保護設備の例示的な方法フローチャート図である。
【図６】例示的な実施例に示されるもう一実施例により提供される電池の保護設備の例示的な方法フローチャート図である。
【図７】例示的な実施例に示される各実施例に係る電子装置の例示的な構造を示す模式図である。  上記図面により本発明の明確な実施例が示され、後で詳しく説明する。これらの図面と文字記載は、本発明の構想の範囲を何らの方式で制限するものではなく、特定した実施例を参考にして本発明のコンセプトを当業者に説明するためのものである。
【発明を実施するための形態】
【０００６】
本発明の目的、技術構成及びメリットをより明瞭にするために、以下は図面を参照しながら本発明についてより詳しく説明する。以下に説明する実施態様は、明らかに、本発明の一部の実施例に過ぎず、すべての実施例ではない。本発明の実施例に基づき、当業者は創造的な工夫をせずに得たその他の実施例も、本発明の保護範囲に属すことが言うまでもない。  
【０００７】
図１は、本発明の一態様により提供される電子装置の例示的な構造を示す模式図である。該電子装置は、電池１１０と、電池の表面に設置される少なくとも一つの圧力センサー１２０と、圧力センサー１２０と電気的に接続されるコントローラー１３０とを含むことができる。本実施例は、電子装置が一つの圧力センサー１２０を含むことを例として説明を行う。
【０００８】
圧力センサー１２０は、電池表面の圧力パラメータを採集するためのものである。
コントローラー１３０は、電池表面の圧力パラメータを獲得し、圧力パラメータと所定の閾値との大小関係を検出し、検出結果に基づいて電池１１０を保護するコントロール指令を発する。
【０００９】
以上によって、本実施例で提供される電子装置は、圧力センサーによって電池の表面の圧力パラメータを採集し、コントローラーによって圧力パラメータと所定の閾値との大小関係を検出し、その検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護することができる。
【００１０】
図２Ａは、本発明のもう一実施例により提供される電子装置の例示的な構造を示す模式図である。
該電子装置は、電池１１０と、電池の表面に設置される少なくとも一つの圧力センサー１２０と、圧力センサー１２０と電気的に接続されるコントローラー１３０とを含むことができる。本実施例は、電子装置が三つの圧力センサー１２０を含むことを例として説明する。
【００１１】
三つの圧力センサー１２０は、電池１１０の表面上の異なる位置に均一に設置され、異なる位置に設置された圧力センサー１２０は、それぞれ対応の所定閾値が同じまたは異なっている。
【００１２】
各圧力センサー１２０は、電池１１０の外表面の、電子装置シェルに近い側に設けてもよいし、電池１１０の内表面の、電池１１０の内部の芯に近い側に設けてもよい。図２Ａに示されるように、本実施例は、三つの圧力センサー１２０を電池１１０の外表面の、電子装置シェルに近い側に均一に設けることを例として説明する。実際の使用に至って、圧力センサー１２０の数と位置は、実際の要求によって決められることができるので、ここで具体的な限定をしない。
【００１３】
また、異なる位置にある圧力センサー１２０が各自に対応する所定の閾値は同じ或いは異なる。ある圧力センサー１２０に対応する所定の閾値とは、該圧力センサー１２０で採集された電池表面の圧力パラメータと比較するための圧力値をいう。本実施例では、異なる位置にある三つの圧力センサー１２０が各自に対応する所定の閾値が異なることを例として説明し、それぞれ、順に増大の第一の閾値、第二の閾値、及び第三の閾値に対応する。
【００１４】
各圧力センサー１２０は、電池表面の圧力パラメータを採集するためのものである。
圧力センサー１２０は電池表面の圧力パラメータをリアルタイムで記録する。電池１１０が受けた外部の圧力であろうか、電池１１０が内部の化学反応による電池膨張で発生した圧力であろうかに関わらず、圧力センサー１２０はそれらを記録することができる。
コントローラー１３０は、電池表面の圧力パラメータを獲得する。
コントローラー１３０は各圧力センサー１２０と電気的に接続し、圧力センサー１２０で採集された電池表面の圧力パラメータを獲得する。
【００１５】
コントローラ１３０はさらに、圧力パラメータと所定の閾値との大小関係を検出する。
本実施例において、順に増大の第一の閾値と、第二の閾値と、第三の閾値との三つの所定の閾値が予め設定される。コントローラー１３０は、所定時間おきに圧力パラメータと、順に増大の第一の閾値、第二の閾値、及び第三の閾値との大小関係を検出する。
【００１６】
例えば、本実施例において異なる位置にある三つの圧力センサー１２０が各自に対応する所定の閾値は異なり、それぞれ、順に増大の第一の閾値、第二の閾値、及び第三の閾値に対応している。そこで、コントローラー１３０は所定の時間おきに第一の圧力センサー１２０と第一の閾値との大小関係を検出し、所定の時間おきに第二の圧力センサー１２０と第二の閾値との大小関係を検出し、所定の時間おきに第三の圧力センサー１２０と第三の閾値との大小関係を検出する。仮に、第一の閾値を２０ニュートンに、第二の閾値を５０ニュートンに、第三の閾値を１００ニュートンにする。
コントローラー１３０はさらに、検出結果に基づいて電池１１０を保護するためのコントロール指令を発する。
【００１７】
詳しくは、第１の可能な実施形態で、検出結果が第一の閾値より大きく且つ第二の閾値より小さい場合に、コントローラー１３０は警報表示指令を発する。
警報表示指令は、電子装置がディスプレイ、スピーカー及び/または信号ライトを通して警報をすることを触発するための指令である。例えば、ユーザーは電池１１０を充電する時、電池内部が膨張してコントローラー１３０が検出した、第一の圧力センサー１２０で採集された圧力パラメータは第一の閾値２０ニュートンより大きく且つ第二の閾値５０ニュートンより小さい場合に、警報表示指令を発することになる。例えば、スピーカーを通して直接に警報をしたり、ディスプレイで表示した情報で警報をしたりすることができる。
【００１８】
図２Ｂに示されるように、仮に電池１１０の表面に９つの圧力センサー１２０を均一に設置した場合、電池１１０を充電する時、電子装置のディスプレイ上の９つの枠はそれぞれ、各圧力センサー１２０で採集された圧力パラメータを表示する。正常な状態、すなわち圧力センサー１２０で採集された圧力パラメータが２０ニュートンより小さい場合、緑色を示す（図には示されていない）。ある時刻に中間位置の圧力センサー１２０で採集された圧力パラメータは、第一の閾値２０ニュートンを超え、且つ第二の閾値５０ニュートンより小さい場合に、ディスプレイの中間位置の枠は緑色から赤色に変える（図に斜線で示す）。これによってユーザーに警報をする。
【００１９】
第２の可能な実施形態では、検出結果が第二の閾値より大きく且つ第三の閾値より小さい場合に、休眠指令を発する。
休眠指令は、電池１１０が休眠状態に入ることを触発するための指令である。主に電池内部の電池チップの稼動を停止させることで、電池１１０を休眠状態にコントロールすることができる。電池表面の圧力パラメータが持続して増大し、コントローラー１３０は、第二の圧力センサー１２０で採集された圧力パラメータが第二の閾値５０ニュートンより大きく且つ第三の閾値１００ニュートンより小さいことを検出した場合に、休眠指令を発し、電池１１０の休眠状態を触発する。
【００２０】
第３の可能な実施形態では、検出結果が第三の閾値より大きい場合に、永久失効指令を発する。
永久失効指令は、電池１１０の永久失効状態を触発するための指令である。電池表面の圧力パラメータが持続して増大し、コントローラー１３０は第三の圧力センサー１２０で採集された圧力パラメータが第三の閾値１００ニュートンより大きいことを検出した場合に、永久失効指令を発し、電池１１０の永久失効状態を触発する。
なお、コントローラー１３０は、電池１１０が休眠状態に入った後、圧力パラメータが第二の閾値より小さい値に復帰したかを検出する。もし検出結果が第二の閾値より小さい場合に、電池１１０が休眠状態から正常稼動状態に戻ることを触発するための休眠復帰指令を発する。仮に電池１１０が休眠状態に入った後、電池表面の圧力パラメータは持続して増大することではなく、５ニュートンに減少した場合に、休眠復帰指令を発する。例えば、電池１１０に励起電圧または励起電流を与え、電池１１０が休眠状態から正常稼動状態に戻ることを触発させることができる。
【００２１】
上記の３つの形態で、電池１１０を保護するセキュリティレベルは順に高くなっていく。同一の電池１１０について、第一の閾値と、第二の閾値と、第三の閾値とからなる群より選ばれる一つの閾値を設定してもよいし、第一の閾値と、第二の閾値と、第三の閾値とからなる群より選ばれる二つの閾値、或いは三つ全部を設定してもよい。本発明はこれについて詳しく限定しない。
【００２２】
以上のように、本実施例で提供される電子装置は、圧力センサーによって電池の表面の圧力パラメータを採集し、コントローラーによって圧力パラメータと所定の閾値との大小関係を検出し、その検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護することができる。
また、本実施例で提供される電子装置は、コントローラーによって圧力パラメータと異なる所定の閾値との大小関係を検出することにより、三つの異なるコントロール指令を発し、電池と電子装置にセキュリティレベルの異なる保護を提供できた。
【００２３】
図３は、本発明の一実施例により提供される電池の保護方法の例示的な方法フローチャート図である。該電池の保護方法は、図１または図２Ａに示されるコントローラーに用いられる。該電池の保護方法は、以下のステップを含む。
ステップ３０２において、電池の表面の圧力パラメータを得る。
ステップ３０４において、圧力パラメータと所定の閾値との大小関係を検出する。
ステップ３０６において、検出結果に基づいて電池を保護するコントロール指令を発する。
【００２４】
以上のように、本実施例で提供される電池の保護方法は、電池の表面の圧力パラメータを採集し、圧力パラメータと所定の閾値との大小関係を検出し、その検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護することができる。
【００２５】
図４は、本発明のもう一実施例により提供される電池の保護方法の例示的な方法フローチャート図である。該電池の保護方法は、図１または図２Ａに示されるコントローラーに用いられる。該電池の保護方法は、下記のステップを含んで良い。
【００２６】
ステップ４０１において、電池表面の圧力パラメータを獲得する。
電池の表面に少なくとも一つの圧力センサーを取り付けて電池表面の圧力パラメータを採集し、コントローラーは当該の少なくとも一つの圧力センサーと電気的に接続し、圧力センサーで採集される電池の表面の圧力パラメータを獲得する。
ステップ４０２において、所定時間おきに圧力パラメータと、順に増大の第一の閾値、第二の閾値、及び第三の閾値との大小関係を検出する。
【００２７】
それぞれ順に増大の第一の閾値と、第二の閾値と、第三の閾値との三つの所定の閾値が予め設定されておく。コントローラーは、所定時間おきに圧力パラメータと、順に増大の第一の閾値、第二の閾値、及び第三の閾値との大小関係を検出する。本実施例では、仮に、第一の閾値を２０ニュートンに、第二の閾値を５０ニュートンに、第三の閾値を１００ニュートンにする。
【００２８】
ステップ４０３において、検出結果が第一の閾値より大きく且つ第二の閾値より小さい場合に、警報表示指令を発する。
警報表示指令は、電子装置がディスプレイ、スピーカー及び/または信号ライトを通して警報をすることを触発するための指令である。例えば、ユーザーは電池を充電する時、電池内部が膨張し、コントローラーが、圧力パラメータは第一の閾値２０ニュートンより大きく且つ第二の閾値５０ニュートンより小さいことを検出した場合に、警報表示指令を発する。例えば、スピーカーを通して直接に警報をしたり、ディスプレイで表示した情報で警報をしたりすることができる。
ステップ４０４において、検出結果が第二の閾値より大きく且つ第三の閾値より小さい場合に、休眠指令を発する。
【００２９】
休眠指令は、電池が休眠状態に入らせることを触発する指令である。主に電池内部の電池チップの稼動を停止させることで電池を休眠状態にコントロールすることができる。電池表面の圧力パラメータが持続して増大するとき、コントローラーが検出した圧力パラメータは第二の閾値５０ニュートンより大きく且つ第三の閾値１００ニュートンより小さい場合に、休眠指令を発し、電池の休眠状態を触発する。
ステップ４０５において、検出結果が第三の閾値より大きい場合に、永久失効指令を発する。
【００３０】
永久失効指令は、電池の永久失効状態を触発するための指令である。電池表面の圧力パラメータが持続して増大し、コントローラーが検出した圧力パラメータは第三の閾値１００ニュートンより大きい場合に、永久失効指令を発し、電池の永久失効状態を触発する。
また、上記ステップ４０４の後に、下記のいくつかのステップがある。
ステップ４０６において、電池が休眠状態に入った後、圧力パラメータが第二の閾値より小さい値に復帰したかを検出する。
電池が休眠状態に入った後、コントローラーは、圧力パラメータが第二の閾値より小さい値に復帰したかを検出する。
【００３１】
ステップ４０７において、検出結果が第二の閾値より小さい場合に、休眠復帰指令を発する。
休眠復帰指令は、電池が休眠状態から正常稼動状態に戻ることを触発する指令である。仮に電池が休眠状態に入った後、電池表面の圧力パラメータは持続して増大することではなく、５ニュートンに減少した場合に、休眠復帰指令を発する。例えば、電池に励起電圧または励起電流を与え、電池が休眠状態から正常稼動状態に戻ることを触発することができる。
【００３２】
実際の使用中、同一の電池について、第一の閾値と、第二の閾値と、第三の閾値とからなる群より選ばれる一つの閾値を設置してもよいし、第一の閾値と、第二の閾値と、第三の閾値とからなる群より選ばれる二つ、或いは三つ全部を設置してもよい。本発明はこれについて詳しく限定しない。
【００３３】
以上のように、本実施例で提供される電池の保護方法は、電池の表面の圧力パラメータを採集し、圧力パラメータと所定の閾値との大小関係を検出し、その検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護することができる。
また、本実施態様で提供される電池の保護方法は、圧力パラメータと、異なる所定の閾値との大小関係を検出することにより、三つの異なるコントロール指令を発し、電池と電子装置にセキュリティレベルの異なる保護を与えた。
【００３４】
以下は本発明の設備の実施例であり、本発明の方法実施例を行うことに用いられる。本発明の設備の実施例で公開しなかった点について、本発明の方法実施例を参照できる。
図５は、本発明の一実施例により提供される電池の保護設備の例示的な構造のブロック図である。該電池の保護設備は、ソフトウェア、ハードウェア、或いは両者の組み合わせにより電池のコントローラーのすべてまたは一部となることができる。該電池の保護設備は、圧力獲得モジュール５１０と、圧力検出モジュール５２０と、指令生成モジュール５３０とを含むことができる。
圧力獲得モジュール５１０は、前記電池の表面の圧力パラメータを獲得する。
圧力検出モジュール５２０は、前記圧力パラメータと所定の閾値との大小関係を検出する。
指令生成モジュール５３０は、検出結果に基づいて前記電池を保護するコントロール指令を発する。
【００３５】
以上のように、本実施例で提供される電池の保護設備は、電池の表面の圧力パラメータを採集し、圧力パラメータと所定の閾値との大小関係を検出し、その検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護することができる。
【００３６】
図６は、本発明のもう一つの実施例により提供される電池の保護装置の例示的な構造のブロック図である。該電池の保護設備は、ソフトウェア、ハードウェア、或いは両者の組み合わせにより電池のコントローラーのすべてまたは一部となることができる。該電池の保護設備は、圧力獲得モジュール５１０と、圧力検出モジュール５２０と、指令生成モジュール５３０とを含むことができる。
圧力獲得モジュール５１０は、前記電池の表面の圧力パラメータを獲得する。
圧力検出モジュール５２０は、前記圧力パラメータと所定の閾値との大小関係を検出する。
【００３７】
圧力検出モジュール５２０はさらに、所定時間おきに前記圧力パラメータと、順に増大の第一の閾値、第二の閾値、及び第三の閾値との大小関係を検出する。
指令生成モジュール５３０は、検出結果に基づいて前記電池を保護するコントロール指令を発する。
詳しく言えば、前記指令生成モジュール５３０は、警報生成ユニット５３０ａと、休眠生成ユニット５３０ｂと、失効生成ユニット５３０ｃとを含む。
【００３８】
前記警報生成ユニット５３０ａは、検出結果が前記第一の閾値より大きく且つ前記第二の閾値より小さい場合に、前記電子装置がディスプレイ、スピーカー及び/または信号ライトを通して警報をすることを触発するための警報表示指令を発する。
前記休眠生成ユニット５３０ｂは、検出結果が前記第二の閾値より大きく且つ前記第三の閾値より小さい場合に、前記電池の休眠状態を触発するための休眠指令を発する。
前記失効生成ユニット５３０ｃは、検出結果が前記第三の閾値より大きい場合に、前記電池の永久失効状態を触発するための永久失効指令を発する。
前記指令生成モジュール５３０はさらに、圧力検出ユニット５３０ｄと復帰生成ユニット５３０ｅとを含む。
前記圧力検出ユニット５３０ｄは、前記電池が休眠状態に入った後、前記圧力パラメータが前記第二の閾値より小さい値に復帰したかを検出する。
前記復帰生成ユニット５３０ｅは、検出結果が前記第二の閾値より小さい場合に、前記電池が前記休眠状態から正常稼動状態に戻ることを触発するための休眠復帰指令を発する。  
【００３９】
以上のように、本実施例で提供される電池の保護設備は、電池の表面の圧力パラメータを採集し、圧力パラメータと所定の閾値との大小関係を検出し、その検出結果に基づいて電池を保護するコントロール指令を発することで、電池が衝撃を受ける時、或いは押される時のセキュリティリスクという、関連技術で未解決の問題を解決し、電池が衝撃を受ける時、或いは押される時のセキュリティリスクを排除する効果を達成し、より全面的に電池と電子装置を保護することができる。
【００４０】
また、本実施例で提供される電池の保護設備は、圧力パラメータと、異なる所定の閾値との大小関係を検出することにより、三つの異なるコントロール指令を発し、電池と電子装置にセキュリティレベルの異なる保護を与えた。
ただし、上記実施例で提供される電池の保護設備について、電池を保護するに至って、上記の各機能モジュールの区分によって例を挙げて説明したものに過ぎない。実際の使用中、必要に応じて上記機能を、異なる機能モジュールに分配して実現させることができる。すなわち、装置の内部構造を、異なる機能モジュールに分けることで上記のすべて或いは一部の機能を実現させることができる。また、上記の実施例で提供される電池の保護設備と電池の保護方法の方法実施例は同一の構想に属し、その具体的な実現プロセスについて方法実施例を参照できるので、ここで説明を省略する。
【００４１】
図７は、本発明の各実施例に係る電子装置の例示的な構造を示す模式図である。該電子装置は、上記実施例で提供される電池の保護方法を実施できる。
電子装置７００は、通信ユニット７１０と、一つまたは一つ以上のコンピュータ読み取り可能な記憶媒体を含むメモリ７２０と、入力ユニット７３０と、表示ユニット７４０と、センサー７５０と、オーディオ回路７６０と、無線通信ユニット７７０と、一つまたは一つ以上のプロセスコアを含むプロセッサ７８０と、電源７９０などの部品を含むことができる。当業者に理解できるように、図に示される電子装置の構造は、電子装置に対する限定ではなく、電子装置は、図に示されるものより多い、或いは少ない部品を含むこともできるし、ある部品を組み合わせまたは異なる部品の配布を有しても可能である。
【００４２】
ここで、通信ユニット７１０は、情報の送受信または通話中において、信号を受信及び送信するためのものである。当該通信ユニット７１０は、ＲＦ（Ｒａｄｉｏ  Ｆｒｅｑｕｅｎｃｙ）回路、ルーター、モデム等のネットワーク通信装置であってもよい。特に、通信ユニット７１０がＲＦ回路である場合、基地局からの下り情報を受信した後、１つ或いは１つ以上のプロセッサ７８０に渡して処理させる。また、上りデータを基地局に送信する。一般的に、通信ユニットとしてのＲＦ回路は、アンテナ、少なくとも１つのアンプ、チューナー、１つ又は複数の発振器、ユーザ識別モジュール（ＳＩＭ）カード、受発信機、カプラー、ＬＮＡ（Ｌｏｗ  Ｎｏｉｓｅ  Ａｍｐｌｉｆｉｅｒ、ローノイズアンプ）、デュプレクサ等を含むが、これらに限らない。なお、通信ユニット７１０は、無線通信でネットワーク、及び他の装置と通信することができる。上記無線通信として、ＧＳＭ（Ｇｌｏｂａｌ  Ｓｙｓｔｅｍ  ｏｆ  Ｍｏｂｉｌｅ  ｃｏｍｍｕｎｉｃａｔｉｏｎ）、ＧＰＲＳ（Ｇｅｎｅｒａｌ  Ｐａｃｋｅｔ  Ｒａｄｉｏ  Ｓｅｒｖｉｃｅ）、ＣＤＭＡ（Ｃｏｄｅ  Ｄｉｖｉｓｉｏｎ  Ｍｕｌｔｉｐｌｅ  Ａｃｃｅｓｓ）、ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）、ＬＴＥ（Ｌｏｎｇ  Ｔｅｒｍ  Ｅｖｏｌｕｔｉｏｎ）、電子メール、ＳＭＳ（Ｓｈｏｒｔ  Ｍｅｓｓａｇｉｎｇ  Ｓｅｒｖｉｃｅ）等を含む任意の通信規格またはプロトコルを利用してもよいが、これらに限らない。メモリ７２０は、ソフトウェアプログラム及びモジュールを格納するためのものであり、プロセッサ７８０は、メモリ７２０に格納されたソフトウェアプログラム及びモジュールを実行することで、各種の機能のアプリ及びデータ処理を実施する。メモリ７２０には、主に、プログラム格納領域とデータ格納領域を有する。プログラム格納領域には、ＯＳ、少なくとも１つの機能を実行するアプリ（例えば、音声再生機能、画像再生機能等）等が格納されている。データ格納領域には、電子装置７００の使用により作成されたデータ（例えば、オーディオデータ、電話帳等）等が格納される。また、メモリ７２０は、高速ＲＡＭ（Ｒａｎｄｏｍ  Ａｃｃｅｓｓ  Ｍｅｍｏｒｙ）を含んでもよく、さらに、例えば少なくとも１つの磁気ディスクメモリ、フラッシュメモリなどの不揮発性メモリ、或いは他の揮発性のＳＳＤ（ｓｏｌｉｄ  ｓｔａｔｅ  ｄｒｉｖｅ）メモリを含んでもよい。また、メモリ７２０は、プロセッサ７８０及び入力ユニット７３０がメモリ７２０にアクセスできるように、メモリ制御器をさらに含んでもよい。
【００４３】
入力ユニット７３０は、数字或いはキャラクター情報の入力の受け付け、及び、ユーザ設定及び機能制御に関するキーボード、マウス、操作レバー、光学ボールやトラックボールにより信号入力を発生させるためのものである。入力ユニット７３０は、タッチセンシティブ表面７３１及び他の入力装置７３２を含んでもよい。タッチセンシティブ表面７３１は、タッチパネルやタッチパッドとも呼ばれ、ユーザがその表面上や付近に対するタッチ操作（例えば、ユーザが指やタッチペンなどの任意の適した物や付属品を使用して、タッチセンシティブ表面７３１上やタッチセンシティブ表面７３１付近に対して行う操作）を収集するとともに、予め設定されたプログラムにしたがって、関連する接続装置を駆動する。タッチセンシティブ表面７３１は、選択的に、タッチ検出手段及びタッチ制御器の２つの部分を含んでもよい。ここで、タッチ検出手段は、ユーザのタッチ位置を検出するとともに、タッチ操作による信号を検出し、その情報をタッチ制御器に送信する。タッチ制御器は、タッチ検出手段からタッチ情報を受信し、当該情報を接触点座標に変換してプロセッサ７８０に送信するとともに、プロセッサ７８０からのコマンドを受信して実行する。なお、抵抗式、容量式、赤外線式及び表面弾性波式などの様々な方式によりタッチセンシティブ表面７３１を実現することができる。入力ユニット７３０は、タッチセンシティブ表面７３１に加えて、他の入力装置７３２をさらに含んでもよい。他の入力装置７３２は、物理的なキーボード、ファンクションキー（例えば、ボリューム制御ボタン、スイッチボタン等）、トラックボール、マウス、操作レバー等のうちの一つ又は複数を含んでもよいが、これらに限らない。
【００４４】
表示ユニット７４０は、ユーザが入力した情報やユーザに提供する情報、及び電子装置７００の各種のグラフィカル・ユーザー・インターフェース（ＧＵＩ）を表示するためのものであり、これらのグラフィカル・ユーザー・インターフェースは、図形、テキスト、アイコン、ビデオ及びそれらの任意の組合せで構成されることができる。表示ユニット７４０は、表示パネル７４１を含んでもよい。表示パネル７４１は、ＬＣＤ（Ｌｉｑｕｉｄ  Ｃｒｙｓｔａｌ  Ｄｉｓｐｌａｙ）、ＯＬＥＤ（Ｏｒｇａｎｉｃ  Ｌｉｇｈｔ−Ｅｍｉｔｔｉｎｇ  Ｄｉｏｄｅ）等の形態で構成されてもよい。さらに、タッチセンシティブ表面７３１は、表示パネル７４１を覆うように設けられ、タッチセンシティブ表面７３１がその表面または付近に対するタッチ操作を検出すると、その検出結果をプロセッサ７８０に転送してタッチイベントのタイプを確認させ、その後、プロセッサ７８０は、タッチイベントのタイプに基づいて、表示パネル７４１上に対応する視覚的出力を提供するように構成されてもよい。図７において、タッチセンシティブ表面７３１と表示パネル７４１とが２つの独立した部品として出力及び入力の機能を実現するように構成されているが、タッチセンシティブ表面７３１と表示パネル７４１とを集積構成して入力及び輸出機能を実現する実施例もあり得る。
【００４５】
電子装置７００は、さらに、電池表面の圧力パラメータを採集するための圧力センサーである、少なくとも一種のセンサー７５０を含んでもよい。また、前記少なくとも一種のセンサー７５０は、光センサー、運動センサー及び他のセンサーを含んでもよい。光センサーは、環境光センサーと近接センサーを含んでもよいが、環境光センサーは、環境光の明るさに基づいて、表示パネル７４１の輝度を調整することができ、近接センサーは、電子装置７００が耳元まで移動すると、表示パネル７４１及び／又はバックライトをオフする。運動センサーの一種としての重力加速度センサーは、各方向（一般的には、３軸）における加速度の大きさを検出することができ、静止の状態では、重力の大きさ及びその方向を検出することができるので、携帯電話の姿勢を認識するアプリ（例えば、画面の横縦向きの切り替え、ゲーム、磁力計の姿勢校正）、振動認識に関する機能（例えば、歩数計、パーカッション）等に使用される。電子装置７００には、さらに、ジャイロスコープ、気圧計、湿度計、温度計、赤外線センサー等のほかのセンサーが備えられるが、ここで、その具体的な説明は省略する。
【００４６】
オーディオ回路７６０、スピーカ７６１、マイク７６２は、ユーザと電子装置７００との間のオーディオインタフェースを提供する。オーディオ回路７６０は、受信したオーディオデータから変換された電気信号をスピーカ７６１に転送し、スピーカ７６１により音声信号に変換して出力する。一方、マイク７６２は、収集した音声信号を電気信号に変換し、オーディオ回路７６０が当該電気信号を受信した後オーディオデータに変換し、オーディオデータをプロセッサ７８０に転送して処理してから、ＲＦ回路７１０を介して例えば他の電子装置に転送するか、或いはオーディオデータをメモリ７２０に送信して更に処理を行うようにする。オーディオ回路７６０は、電子装置７００が外部のイヤホンと通信できるように、イヤホン挿入孔を含んでもよい。
【００４７】
当該電子装置は、無線通信を実現するために、無線通信ユニット７７０を備えてもよい。当該無線通信ユニット７７０は、ＷｉＦｉ（ｗｉｒｅｌｅｓｓ  ｆｉｄｅｌｉｔｙ）モジュールであってもよい。ＷｉＦｉは近距離無線通信技術に属し、ユーザに無線のブロードバンドインターネットアクセスを提供するので、ユーザは、電子装置７００の無線通信ユニット７７０を利用して、電子メールの送受信、ウェブの閲覧、ストリーミングメディアのアクセス等を行うことができる。図において、無線通信ユニット７７０を示しているが、当該無線通信ユニット７７０は、電子装置７００にとって不可欠な構成ではなく、本発明の趣旨を変更しない範囲内で必要に応じて省略することができる、ことを理解すべきである。
【００４８】
プロセッサ７８０は、電子装置７００の制御センターであり、各種のインタフェース及び回路を介して携帯電話全体の各部と接続され、メモリ７２０内に格納されたソフトウェアプログラム及び／又はモジュールを実行または作動させるとともに、メモリ７２０内に格納されたデータを呼び出すことによって、電子装置７００の各種機能の実行及びデータの処理を実現することで、携帯電話全体をコントロールする。プロセッサ７８０は、１つ又は複数の処理コアを含んでもよく、アプリプロセッサとモデムプロセッサを集積して構成されてもよい。ここで、アプリプロセッサは、主に、ＯＳ、ユーザインタフェース、及びアプリなどを処理し、モデムプロセッサは、主に、無線通信を処理する。また、上記モデムプロセッサがプロセッサ７８０に集積されなくてもよい、ことを理解すべきである。
電子装置７００は、さらに、各部に電力を供給する電源７９０（例えば、バッテリー）を含み、当該電源７９０は、電源管理システムを介してプロセッサ７８０にロジック的に接続されることにより、電源管理システムを介して充電・放電管理、及び電力管理等の機能を実現することができる。電源７９０は、さらに、１つ或いは１つ以上の直流又は交流電源、再充電システム、電源故障検出回路、電源コンバータ又はインバータ、電源状態インジケータ等の任意のアセンブリを含んでもよい。
【００４９】
電子装置７００は、図示してはないが、カメラ、ブルートゥースモジュール等をさらに含んでもよいが、ここで、その具体的な説明は省略する。本実施例では、電子装置はさらにメモリと、前記メモリに記憶される一つまたは一つ以上のプログラムとを含み、しかも配置によって、本発明の図３または図４に示される実施例で提供された電池の保護方法に係る電子装置のコントローラーの指令の実行を含む、前記一つまたは一つ以上のプログラムを前記一つまたは一つ以上のプロセッサで実行する。
【００５０】
また、典型的に、本発明に記載の電子装置は、例えば携帯電話や携帯情報端末（ＰＤＡ）などの各種のハンドヘルド端末機器であってもよいので、本発明の保護範囲は、ある特定したタイプの電子装置に限られていない。
また、本発明の方法によりコンピューター読み取り可能な記憶媒体に記憶可能な、ＣＰＵで実行するコンピュータープログラムを実現できる。該コンピュータープログラムをＣＰＵで実行する時、本発明の方法に限定された上記機能を果たす。
また、上記方法ステップ及びシステムユニットについては、コントローラー、及びコントローラーによって上記ステップまたはユニット機能を実現するコンピュータープログラムを記憶するコンピューター読み取り可能な記憶媒体を利用して実現できる。
【００５１】
また、本願でいうコンピューター読み取り可能な記憶媒体（例えば、メモリ）は、揮発性メモリと非揮発性メモリからなる群より選ばれる一つ以上のものである。非揮発性メモリとして、読み出し専用メモリ（ＲＯＭ）、プログラム可能なＲＯＭ（ＰＲＯＭ）、電気的にプログラム可能なＲＯＭ（ＥＰＲＯＭ）、電気的に消去可能なプログラムＲＯＭ（ＥＥＰＲＯＭ）、またはフラッシュメモリが挙げられ、揮発性メモリとして、外部高速キャッシュメモリとすることのできるランダムアクセスメモリ（ＲＡＭ）が挙げられる。以上は例として挙げられただけであり、本発明を制限するものではない。なお、本発明を制限するのではなく、例として、シンクロナスＲＡＭ（ＤＲＡＭ）、ダイナミックＲＡＭ（ＤＲＡＭ）、シンクロナスＤＲＡＭ（ＳＤＲＡＭ）、ダブルデータレートＳＤＲＡＭ（ＤＤＲ  ＳＤＲＡＭ）、増強ＳＤＲＡＭ（ＥＳＤＲＡＭ）、シンクロナスリンクＤＲＡＭ（ＳＬＤＲＡＭ）及び直接ＲａｍｂｕｓＲＡＭ（ＤＲＲＡＭ）のような複数の方式でＲＡＭを得ることができる。以上に開示した局面の記憶装置は、これら及びその他の適切なメモリを含むが、これらに限られていない。
【００５２】
当業者が理解できるように、本発明に記載した各例示的なロジックブロック、モジュール、回路及び算法のステップは、電子ハードウェア、コンピュータソフトウェアのいずれ或いは両者の組み合わせによって実現されることができる。ハードウェアとソフトウェアとの互換性を明瞭に説明するために、各例示的な部品、ブロック、モジュール、回路及びステップの機能について一般的な記述をした。この機能はソフトウェアによって実現されるか、ハードウェアによって実現されるかは具体的なアプリ及びシステム全体に対するデザイン制約によるものである。当業者は各具体的なアプリに対してあらゆる方法で前記機能を実現することができるが、この実現の決定は、本発明の範囲を逸脱したものだと解釈してはならない。
【００５３】
本発明に記載した各例示的なロジックブロック、モジュール、回路は、上記機能を実行するようにデザインした、汎用プロセッサ、デジタル信号プロセッサ（ＤＳＰ）、専用集成回路（ＡＳＩＣ）、フィールドプログラム可能なゲートアレイ（ＦＰＧＡ）またはその他のプログラム可能なロジック装置、離散ゲート或いはトランジスタロジック、離散したハードウェア部品もしくはこれらの部品の任意の組み合わせを利用して実現・実行できる。汎用プロセッサはマイクロプロセッサであってもよいが、その代わりに、プロセッサは、任意の伝統的なプロセッサ、コントローラー、マイクロコントローラーまたは状態機であってもよい。また、プロセッサは、例えば、ＤＳＰとマイクロプロセッサとの組み合わせ、複数のマイクロプロセッサ、一つまたは一つ以上のマイクロプロセッサとＤＳＰコアとの組み合わせ、或いは任意のその他の配置のような、コンピューター装置の組み合わせによって実現されてもよい。
【００５４】
本発明に記載の方法または算法のステップは、直接にハードウェアに含まれるか、プロセッサで実行するソフトウェアモジュール或いはこれらの組み合わせに含まれであってもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーバブルディスク、ＣＤ−ＲＯＭ、或いは本分野で既知のその他の方式の記憶媒体に存在ことができる。例示的な記憶媒体はプロセッサにカップリングされ、プロセッサは該記憶媒体から情報を読み取り、或いは該記憶媒体に情報を書き込むことができる。一つの代わりの態様では、前記記憶媒体はプロセッサと集成できる。プロセッサと記憶媒体はＡＳＩＣに存在することができる。ＡＳＩＣはユーザー端末に存在できる。一つの代わりの態様では、プロセッサと記憶媒体は離散した部品としてユーザー端末に存在できる。
【００５５】
一つまたは一つ以上の例示的なデザインにおいて、前記機能は、ハードウェア、ソフトウェア、ファームウェア、またはこれらの任意の組み合わせによって実現できる。ソフトウェアによって実現する場合に、前記機能を一つまたは複数の指令或いはコードとしてコンピューター読み取り可能な媒体に記憶し、或いはコンピューター読み取り可能な媒体により伝送することができる。コンピューター読み取り可能な媒体は、コンピューター記憶媒体と、コンピュータープログラムを一つの場所からもう一つの場所に伝送することに寄与する任意の媒体を含む通信媒体とを含む。記憶媒体は、汎用または専用コンピューターがアクセス可能な任意の利用可能な媒体であってもよい。制限的ではない例として、該コンピューター読み取り可能な媒体として、ＲＡＭ、ＲＯＭ、ＥＥＰＲＯＭ、ＣＤ−ＲＯＭ、或いはその他の光ディスク記憶装置、ディスク記憶装置もしくはその他の磁気記憶装置、または形が指令或いはデータ構造である必要なプログラムコードを持ち、或いは記憶する可能な汎用または専用コンピューター、或いは汎用または専用プロセッサがアクセスできる任意のその他の媒体が挙げられる。また、あらゆる接続は、コンピューター読み取り可能な媒体と適当に言える。例えば、同軸ケーブル、光ファイバーケーブル、ツイストベアケーブル、デジタル加入者回線（ＤＳＬ）、あるいは赤外線や無線電波及びマイクロウェーブのような無線技術を利用してウェブサイト、サーバー、またはその他のリモート・ソースからソフトウェアを発送する場合に、上記の同軸ケーブル、光ファイバーケーブル、ツイストベアケーブル、ＤＳＬ、あるいは赤外線や無線電波及びマイクロウェーブのような無線技術はいずれも媒体の範囲に含まれる。ここで使用したように、磁気ディスクと光ディスクは、コンパクトディスク（ＣＤ）、レーザーディスク、光ディスク、デジタル多用途ディスク（ＤＶＤ）、フロッピーディスク、ブルーレイディスクを含み、前記磁気ディスクは通常磁性的にデータを再現し、光ディスクはレーザーを利用して光学的にデータを再現する。上記内容の組み合わせも、コンピューター読み取り可能な媒体の範囲にある。
【００５６】
以上開示した例示的な実施例は、クレームで規定した本発明の範囲を逸脱しない限り、多くの変形と修正を取ることができる。ここに記述した実施例の方法クレームの機能、ステップ及び/または動作は、特定した順序で実行する必要はない。また、本発明のエレメントは、個体の形で記載または要求することができるが、複数個の形をとることもである。ただし、明確に単数と制限した場合は除外である。
【００５７】
コンテキストで明確に例外を示した場合を除き、本文で使用される単数形「一つ」（「ａ」、「ａｎ」、「ｔｈｅ」）も複数形を含む。また、本文で使用される「及び/または」とは、一つまたは一つ以上の、関連して列した項目のいずれか一つ及びあらゆる可能な組み合わせをいう。
【００５８】
上記の、本発明の実施例の番号は記述のために過ぎず、実施例の優劣を表するものではない。
上記実施例のすべて或いは一部のステップは、ハードウェアによって実現されてもよいし、プログラムを介して関連のハードウェアに指令することで実現してもよいと当業者は理解できる。前記プログラムは、読み出し専用メモリや、磁気ディスク、光ディスク等であってもよいコンピューター読み取り可能な記憶媒体に記憶されることができる。
以上はただ本発明の良い実施例に過ぎず、本発明を制限するものではない。本発明の精神と原則内限り、いかなる修正、同等入れ替え、改善等は、本発明の保護範囲内のものである。
【００５９】
本願は、出願番号２０１３１０５２０５０３．７、出願日２０１３/１０/２９の中国特許出願に基づいて提出されたものであり、該中国特許出願の優先権を要求し、該中国特許出願のすべての内容を参考として本願に援用する。
【図１】
0005960926.tif 000002
【図２Ａ】
0005960926.tif 000003
【図２Ｂ】
0005960926.tif 000004
【図３】
0005960926.tif 000005
【図４】
0005960926.tif 000006
【図５】
0005960926.tif 000007
【図６】
0005960926.tif 000008
【図７】
0005960926.tif 000009